(57)【要約】【課題】複数のスイッチの取付位置の調整作業を容易にすることができるエレベータの位置検出装置を得る。【解決手段】調整対象部材７は、昇降路内に固定された第１の取付腕５に対してかご２の移動方向へ摺動可能になっている。また、調整対象部材７は、昇降路内に固定された第２の取付腕６に一対の位置調整用ナット８，９により取り付けられている。第２の取付腕６に対する調整対象部材７の位置は、各位置調整用ナット８，９の操作により調整可能になっている。調整対象部材７には、スイッチ保持体１０が取り付けられている。スイッチ保持体１０には、昇降路内を移動されるかご２の位置を検出する複数のスイッチ４が取り付けられている。【選択図】図１
2010111451.tif 000002
【特許請求の範囲】
【請求項１】
昇降路内を移動されるかごの位置を検出する複数のスイッチ、
上記昇降路内に固定された第１の取付部材、
上記昇降路内に固定され、上記第１の取付部材に対して上記かごの移動方向へ間隔を置いて配置された第２の取付部材、
上記第１の取付部材に対して上記かごの移動方向へ摺動可能な調整対象部材、
上記第２の取付部材に上記調整対象部材を取り付けるとともに、上記第２の取付部材に対する上記調整対象部材の位置を上記かごの移動方向について調整可能な調整手段、及び
上記調整対象部材に取り付けられ、各上記スイッチが取り付けられたスイッチ保持体
を備えていることを特徴とするエレベータの終点スイッチ装置。
【請求項２】
上記スイッチ保持体には、上記第１の取付部材及び上記第２の取付部材の少なくともいずれかに隣接する調整用目盛りが上記かごの移動方向に沿って設けられていることを特徴とする請求項１に記載のエレベータの終点スイッチ装置。
【発明の詳細な説明】
【技術分野】
【０００１】
この発明は、昇降路内を移動されるかごの位置を検出するエレベータの終点スイッチ装置に関するものである。
【背景技術】
【０００２】
エレベータでは、かごの行き過ぎを防止するために、終点スイッチ装置が昇降路内の最上部及び最下部にそれぞれ設けられている。終点スイッチ装置は、かごの移動方向に沿って互いに間隔を置いて配置された複数のスイッチを有している。
【０００３】
従来、終点スイッチ装置における各スイッチの取付位置を調整するために、調整ねじが螺合されたねじ座をスイッチボックス（支持体）に取り付け、スイッチに調整ねじを連結させた構成が提案されている。スイッチは、固定ボルトでスイッチボックスに取り付けられる。スイッチボックスに対するスイッチの位置は、固定ボルトを緩めた後、調整ねじを回して調整ねじのねじ座に対する螺合量を調整することにより調整される（例えば、特許文献１参照）。
【０００４】
【特許文献１】特開２００４−２８４７５５号公報
【発明の開示】
【発明が解決しようとする課題】
【０００５】
しかし、終点スイッチ装置では多数のスイッチが存在しているので、各スイッチについての取付位置の調整を個別に行わなければならず、調整作業に手間がかかってしまう。
【０００６】
この発明は、上記のような問題点を解決することを課題としてなされたものであり、複数のスイッチの取付位置の調整作業を容易にすることができるエレベータの位置検出装置を得ることを目的とする。
【課題を解決するための手段】
【０００７】
この発明に係るエレベータの位置検出装置は、昇降路内を移動されるかごの位置を検出する複数のスイッチ、昇降路内に固定された第１の取付部材、昇降路内に固定され、第１の取付部材に対してかごの移動方向へ間隔を置いて配置された第２の取付部材、第１の取付部材に対してかごの移動方向へ摺動可能な調整対象部材、第２の取付部材に調整対象部材を取り付けるとともに、第２の取付部材に対する調整対象部材の位置をかごの移動方向について調整可能な調整手段、及び調整対象部材に取り付けられ、各スイッチが取り付けられたスイッチ保持体を備えている。
【発明の効果】
【０００８】
この発明に係るエレベータの位置検出装置では、複数のスイッチを保持するスイッチ保持体が調整対象部材に取り付けられ、調整対象部材が第１の取付部材に対して摺動可能になっているとともに調整手段により第２の取付部材に取り付けられているので、調整手段を操作するだけで、昇降路内における各スイッチの位置をまとめて調整することができる。従って、複数のスイッチの取付位置の調整作業を容易にすることができる。
【発明を実施するための最良の形態】
【０００９】
実施の形態１．
図１は、この発明の実施の形態１によるエレベータの終点スイッチ装置を示す正面図である。また、図２は、図１のエレベータの終点スイッチ装置を示す側面図である。図において、昇降路内には、一対のかごガイドレール１が設置されている。各かごガイドレール１は、上下方向に沿って配置されている。各かごガイドレール１間には、図２に示すように、かご２が配置されている。かご２は、かごガイドレール１に案内されながらかごガイドレール１に沿って移動される。なお、図１及び図２では、一対のかごガイドレールのうち、一方のかごガイドレール１のみが示されている。
【００１０】
昇降路内の上端部及び下端部には、かご２が最上階及び最下階を行き過ぎることを防止する終点スイッチ装置３が設けられている。終点スイッチ装置３は、一方のかごガイドレール１に支持されている。なお、図１及び図２では、昇降路内の上端部に設けられた終点スイッチ装置３が示されている。昇降路内の下端部に設けられた終点スイッチ装置の構成は、昇降路内の上端部に設けられた終点スイッチ装置３の上下逆さまにした構成と同様である。
【００１１】
終点スイッチ装置３は、かご２の位置を検出する複数のスイッチ４と、昇降路内にそれぞれ固定された第１の取付腕（第１の取付部材）５及び第２の取付腕（第２の取付部材）６と、第１及び第２の取付腕５，６に保持される調整対象部材７と、第１及び第２の取付腕５，６に対する調整対象部材７の位置をかご２の移動方向について調整可能な一対の位置調整用ナット（調整手段）８，９と、調整対象部材７に取り付けられ、各スイッチ４が取り付けられたスイッチ保持体１０とを有している。
【００１２】
第１及び第２の取付腕５，６は、かごガイドレール１にレールクリップ１１で取り付けられることにより昇降路内にそれぞれ固定されている。また、第１及び第２の取付腕５，６は、かごガイドレール１からそれぞれ水平に突出している。
【００１３】
第１の取付腕５には、調整対象部材７が通される嵌合穴１２が設けられている。嵌合穴１２に調整対象部材７が通されることにより、第１の取付腕５に対する調整対象部材７の水平方向への変位が防止される。
【００１４】
第２の取付腕６は、第１の取付腕５に対してかご２の移動方向へ間隔を置いて配置されている。この例では、第２の取付腕６が第１の取付腕５よりも下方に配置されている。また、第２の取付腕６には、調整対象部材７が通される通し穴（図示せず）が設けられている。
【００１５】
調整対象部材７は、第１及び第２の取付腕５，６のそれぞれを貫通する共通の調整棒１３と、調整棒１３に設けられ、嵌合穴１２に摺動可能に嵌められる嵌合部材１４とを有している。
【００１６】
調整棒１３は、かご２の移動方向に沿って配置されている。また、調整棒１３の上部には上部ねじ部１３ａが設けられ、調整棒１３の下部には下部ねじ部１３ｂが設けられている。嵌合部材１４は、調整棒１３の上部ねじ部１３ａと下部ねじ部１３ｂとの間に位置する中間部に設けられている。
【００１７】
ここで、図３は、図１の調整対象部材７が第１の取付腕５に貫通している状態を示す斜視図である。嵌合部材１４には、調整棒１３に対する嵌合部材１４の位置を固定するセットボルト（固定ボルト）１５が設けられている。嵌合部材１４は、セットボルト１５を締め付けることにより調整棒１３に対して固定され、セットボルト１５の締め付けを緩めることにより調整棒１３をスライド可能になる。
【００１８】
第１の取付腕５に設けられた嵌合穴１２の形状は、四角形とされている。嵌合部材１４は、断面形状を嵌合穴１２の形状に合わせた四角柱とされている。調整対象部材７は、嵌合部材１４が嵌合穴１２に嵌められた状態で、第１の取付腕５に対してかご２の移動方向へ摺動可能になっている。
【００１９】
調整対象部材７は、図１に示すように、各位置調整用ナット８，９により第２の取付腕６に取り付けられている。各位置調整用ナット８，９は、下部ねじ部１３ｂに螺合されている。また、第２の取付腕６は、上下方向について各位置調整用ナット８，９に挟まれている。調整対象部材７は、各位置調整用ナット８，９間で第２の取付腕６が締め付けられることにより、第２の取付腕６に取り付けられている。
【００２０】
第２の取付腕６に対する調整対象部材７の位置の調整は、各位置調整用ナット８，９間の締め付けを緩めて調整棒１３に対する各位置調整用ナット８，９の位置を調整することにより行われる。各位置調整用ナット８，９の調整棒１３に対する位置の調整は、各位置調整用ナット８，９を回しながら行われる。
【００２１】
スイッチ保持体１０は、調整対象部材７にそれぞれ取り付けられる上部取付金具１６及び下部取付金具１７と、上部取付金具１６及び下部取付金具１７に取り付けられたスイッチ取付用ケース１８とを有している。
【００２２】
上部取付金具１６には、上部ねじ部１３ａが通される通し穴（図示せず）が設けられている。上部取付金具１６は、上部ねじ部１３ａに螺合された一対の上部取付用ナット１９，２０間で締め付けられることにより調整棒１３に取り付けられている。
【００２３】
下部取付金具１７には、下部ねじ部１３ｂが通される通し穴（図示せず）が設けられている。下部取付金具１７は、下部ねじ部１３ｂに螺合された一対の下部取付用ナット２１，２２間で締め付けられることにより調整棒１３に取り付けられている。
【００２４】
スイッチ取付用ケース１８は、上部取付金具１６及び下部取付金具１７のそれぞれにケース取付ボルト２３で取り付けられている。また、スイッチ取付用ケース１８は、中空の直方体とされている。さらに、スイッチ取付用ケース１８は、かご２の移動方向に沿って配置されている。
【００２５】
スイッチ取付用ケース１８には、図２に示すように、第２の取付腕６に隣接する調整用目盛り２４がかご２の移動方向に沿って設けられている。この例では、調整用目盛り２４は、第１及び第２の取付腕５，６のうち、各位置調整用ナット８，９で調整対象部材７が取り付けられている取付腕（第２の取付腕６）に隣接する位置に設けられている。
【００２６】
各スイッチ４は、かご２の移動方向に沿って互いに間隔を置いて配置されている。かご２の側部には、カム２５がカム取付部材２６を介して固定されている。カム２５は、かご２の移動方向に沿って配置されている。
【００２７】
各スイッチ４は、接触式のスイッチとされている。この例では、各スイッチ４は、スイッチ本体２７と、スイッチ本体２７に回動可能に設けられたレバー２８と、レバー２８の先端部に設けられたローラ２９とを有している。各スイッチ４は、ローラ２９がカム２５に押されてレバー２８が回動することにより検出動作を行う。
【００２８】
この例では、３つのスイッチ４が共通のスイッチ取付用ケース１８に取り付けられている。また、この例では、３つのスイッチ４のうち、昇降路の終端部から最も離れた位置（図１の最下位置）に配置されたスイッチはかご２を減速させるための減速スイッチとされ、減速スイッチよりも昇降路の終端部に近い位置（図１の中間位置）に配置されたスイッチはかご２が終端階を行き過ぎないようにするためのリミットスイッチとされ、リミットスイッチよりも昇降路の終端部に近い位置（図１の最上位置）に配置されたスイッチはリミットスイッチによってもかご２が停止しない場合にかご２を停止させるためのファイナルリミットスイッチ（行き過ぎ制限スイッチ）とされている。
【００２９】
各スイッチ４からの情報は、図示しない運転制御装置へ送られる。運転制御装置は、各スイッチ４からの情報に基づいて、エレベータの運転を制御する。
【００３０】
次に、各スイッチ４の位置の調整作業の手順について説明する。まず、スパナ等の工具によって各位置調整用ナット８，９の締め付けを緩める。この後、各位置調整用ナット８，９を回して、第２の取付腕６に対する調整対象部材７の位置をかご２の移動方向について調整する。このとき、嵌合部材１４は第１の取付腕５に摺動される。これにより、昇降路内における各スイッチ４の位置が調整される。
【００３１】
この後、各位置調整用ナット８，９を締め付けて、第２の取付腕６に対する調整対象部材７の位置を固定する。これにより、各スイッチ４の位置の調整作業が完了する。
【００３２】
このようなエレベータの終点スイッチ装置では、複数のスイッチ４を保持するスイッチ保持体１０が調整対象部材７に取り付けられ、調整対象部材７が第１の取付腕５に対して摺動可能になっているとともに一対の位置調整用ナット８，９により第２の取付腕６に取り付けられているので、各位置調整用ナット８，９を操作するだけで、昇降路内における各スイッチ４の位置をまとめて調整することができる。従って、複数のスイッチ４の取付位置の調整作業を容易にすることができる。
【００３３】
また、スイッチ取付用ケース１８には、第２の取付腕６に隣接する調整用目盛り２４が設けられているので、第２の取付腕６に対するスイッチ取付用ケース１８の位置を確認しながら調整対象部材７の位置の調整作業を行うことができる。従って、昇降路内における各スイッチ４の位置の調整をより正確に行うことができる。
【００３４】
また、第１の取付腕５に設けられた嵌合穴１２の形状が四角形であり、嵌合穴１２に嵌められた嵌合部材１４が四角柱とされているので、調整対象部材７が調整棒１３の軸線を中心として回ることを防止することができる。これにより、第２の取付腕６に対する調整対象部材７の位置の調整作業をさらに容易にすることができる。
【００３５】
なお、上記の例では、第２の取付腕６が第１の取付腕５の下方に配置されているが、第２の取付腕６を第１の取付腕５の上方に配置してもよい。
【００３６】
また、上記の例では、調整対象部材７が摺動される第１の取付腕５の数が１つとされているが、第１の取付腕５の数を複数としてもよい。この場合、各第１の取付腕５のそれぞれに嵌合穴１２が設けられ、各嵌合穴１２に共通の調整対象部材７が通される。
【００３７】
また、上記の例では、嵌合穴１２の形状が四角形とされているが、調整対象部材７が調整棒１３の軸線を中心に回ることを防止する形状であればよく、嵌合穴１２の形状を例えば六角形や楕円形等としてもよい。
【００３８】
また、上記の例では、共通のスイッチ取付用ケース１８に３つのスイッチ４が取り付けられているが、２つあるいは４つ以上のスイッチ４を共通のスイッチ取付用ケース１８に取り付けてもよい。
【００３９】
また、上記の例では、スイッチ取付用ケース１８に設けられた調整用目盛り２４が第２の取付腕６に隣接する位置に配置されているが、スイッチ取付用ケース１８の第１の取付腕５に隣接する部分に調整用目盛りを設けてもよい。このようにしても、第１の取付腕５に対するスイッチ取付用ケース１８の位置を確認しながら調整対象部材７の位置の調整作業を行うことができ、昇降路内における各スイッチ４の位置の調整をより正確に行うことができる。
【００４０】
また、上記の例では、調整棒１３の上部及び下部にのみねじ部１３ａ，１３ｂが設けられているが、調整棒１３全体にねじ部を設けてもよい。
【図面の簡単な説明】
【００４１】
【図１】この発明の実施の形態１によるエレベータの終点スイッチ装置を示す正面図である。
【図２】図１のエレベータの終点スイッチ装置を示す側面図である。
【図３】図１の調整対象部材が第１の取付腕に貫通している状態を示す斜視図である。
【符号の説明】
【００４２】
２  かご、３  終点スイッチ装置、４  スイッチ、５  第１の取付腕（第１の取付部材）、６  第２の取付腕（第２の取付部材）、７  調整対象部材、８，９  位置調整用ナット（調整手段）、１０  スイッチ保持体、２４  調整用目盛り。
【図１】
2010111451.tif 000003
【図２】
2010111451.tif 000004
【図３】
2010111451.tif 000005